(57)【要約】【課題】  被包装物を密着して包装している熱収縮性フィルムを容易に且つ安全に開封できる包装材を提供する。【解決手段】  被包装物１を筒状に包装する一軸延伸の熱収縮性フィルム２を、延伸方向を筒状の無端方向として、該熱収縮性フィルム２に延伸方向から引き上げできる摘み部３を切込線３１により設けたうえ該摘み部３の基端両側後方に斜め外向に連続させた２本のミシン目線４、４を該ミシン目線より非延伸方向に対して傾斜させた短い切込４１又は非延伸方向に対して平行させた短い切込４１を平行に無数配設して形成したものとして筒状の両端に達するものとする。【選択図】  図１
2005231679.tif 000002
【特許請求の範囲】
【請求項１】
被包装物を筒状に包装する一軸延伸の熱収縮性フィルムを、延伸方向を筒状の無端方向として、該熱収縮性フィルムに延伸方向から引き上げできる摘み部を切込線により設けたうえ該摘み部の基端両側後方に斜め外向に連続させたミシン目線を該ミシン目線より非延伸方向に対して傾斜させた短い切込又は非延伸方向に対して平行させた短い切込を平行に無数配設して形成したものとして筒状の両端に達するものとしたことを特徴とする包装材。
【請求項２】
被包装物を全面的に包装する偏延伸の二軸延伸の熱収縮性フィルムに、延伸率の大きい延伸方向から引き上げできる摘み部を切込線により設けたうえ該摘み部の基端両側後方に斜め外向に連続させたミシン目線を該ミシン目線より延伸率の小さい延伸方向に対して傾斜させた短い切込又は延伸率の小さい延伸方向に平行させた短い切込を平行に無数配設して形成したことを特徴とする包装材。
【請求項３】
被包装物が凹部を備えたものであり、該凹部と熱収縮性フィルムとの間に形成される間隙に摘み部を臨ませた請求項１又は２に記載の包装材。
【発明の詳細な説明】
【技術分野】
【０００１】
本発明は、被包装物を密着して包装している熱収縮性フィルムを容易に開封できる包装材に関するものである。
【背景技術】
【０００２】
熱収縮性フィルムを利用した包装材は、一度開封すれば元通りの包装状態に戻すことができないことから、商品が未使用であることの保証、商品への悪戯防止の観点からセルフサービスの売り場で陳列販売する商品の包装に広く使用されている。ところが、熱収縮性フィルムを利用した包装材は開封するのが厄介である問題がある。
【０００３】
そこで、これを解決するものとして、熱収縮性フィルムに切込を設けて、この切込から開封するものが知られている（例えば、特許文献１参照）。ところが、図１２に示すように弁当類、惣菜等を収納したプラスチック製のトレイ１００を筒状の熱収縮性フィルム１０１により包装したものにあっては、開封用の切込としてミシン目線１０２を縦方向に設けているが、このミシン目線１０２を引き裂くにはミシン目線１０２の先端を手指で摘んで行うのが面倒なため、ミシン目線１０２とトレイ１００との間の間隙ｓに指を差し入れてミシン目線１０２を引き裂いて開封することがあり、そのため、指をトレイ１００のエッヂ部により傷つける問題があった。
【特許文献１】特開平６−３２１２５６公開特許公報（図１、図４）
【発明の開示】
【発明が解決しようとする課題】
【０００４】
本発明は前記のような従来の問題点を解決して、被包装物を密着して包装している熱収縮性フィルムを容易に且つ安全に開封できる包装材を提供するものである。
【課題を解決するための手段】
【０００５】
本発明の包装材は、被包装物を筒状に包装する一軸延伸の熱収縮性フィルムを、延伸方向を筒状の無端方向として、該熱収縮性フィルムに延伸方向から引き上げできる摘み部を切込線により設けたうえ該摘み部の基端両側後方に斜め外向に連続させたミシン目線を該ミシン目線より非延伸方向に対して傾斜させた短い切込又は非延伸方向に対して平行させた短い切込を平行に無数配設して形成したものとして筒状の両端に達するものとしたことを特徴とするものを請求項１に記載の発明とする。また、被包装物を全面的に包装する偏延伸の二軸延伸の熱収縮性フィルムに、延伸率の大きい延伸方向から引き上げできる摘み部を切込線により設けたうえ該摘み部の基端両側後方に斜め外向に連続させたミシン目線を該ミシン目線より小さい延伸方向に対して傾斜させた短い切込又は小さい延伸方向に平行させた短い切込を平行に無数配設して形成したことを特徴とするものを請求項２に記載の発明とする。そして、これらの発明において、被包装物が凹部を備えたものであり、該凹部と熱収縮性フィルムとの間に形成される間隙に摘み部を臨ませたものを請求項３に記載の発明とする。
【発明の効果】
【０００６】
本発明の包装材は、請求項１に記載のものにあっては、被包装物を筒状に包装する一軸延伸の熱収縮性フィルムを、延伸方向を筒状の無端方向として、該熱収縮性フィルムに延伸方向から引き上げできる摘み部を設けたものであるから、該摘み部を手指で引き上げれば、該摘み部の基端両側後方に斜め外向に連続させたミシン目線が該ミシン目線より非延伸方向に対して傾斜させた短い切込又は非延伸方向に対して平行させた短い切込を平行に無数配設して形成したものとして筒状の両端に達するものとしたから、各切込は摘み部の基端側からその切込の後側の切込との間を熱収縮性フィルムが延伸方向に容易に裂ける性質により延伸方向に切り裂いて後側に続く切込と切込の間を連続して切り裂きミシン目線全体を切断して筒状の熱収縮性フィルムは容易に除去して開封できるものである。
【０００７】
また、請求項２に記載のものにあっては、被包装物を全面的に包装する偏延伸の二軸延伸の熱収縮性フィルムに、延伸率の大きい延伸方向から引き上げできる摘み部を切込線により設けたものであるから、該摘み部を手指で引き上げれば該摘み部の基端両側後方に斜め外向に連続させたミシン目線を該ミシン目線より小さい延伸方向に対して傾斜させた短い切込又は小さい延伸方向に平行させた短い切込を平行に無数配設して形成しているので、各切込は摘み部の基端側からその切込の後側の切込との間を熱収縮性フィルムの裂けやすい延伸率の大きな延伸方向に切り裂いて後側に続く切込と切込の間を連続して切り裂きミシン目線全体を切断するので、熱収縮性フィルムの中央部が扇状に大きく剥離されて包装材全体を容易に除去できるものである。
【０００８】
さらに、請求項３に記載のものにあっては、被包装物が凹部を備えたものであり、該凹部と熱収縮性フィルムとの間に形成される間隙に摘み部を臨ませたものであるから、摘み部を形成する切込線をミシン目線としておけば、手指により摘み部を間隙側に押し込めばミシン目線が破断して摘み部が容易に摘めることとなる。また、通常は摘み部がミシン目線により繋がれているので、この包装材により包装されて商品を取り扱う際に摘み部が他物に触れて引っ張られて開封する虞がないものである。
【発明を実施するための最良の形態】
【０００９】
次に、本発明の好ましい実施の形態を図面に基づき説明する。
〔第１の実施形態〕
図１〜図７は第１の実施形態を示すものであり、請求項１に記載の発明及び該請求項１に記載の発明を引用した請求項３に対応するものである。
１は被包装物であり、該被包装物１は図１、図２に示すも主に弁当類、惣菜類等の食品を収納した本体１１と蓋体１２の開口周縁に鍔部１１ａ、１２ａを張設した鍔付きのトレイであり、また、図６に示すもの被包装物１はビデオテープ、カセットテープ等を収納する箱型ケースである。
【００１０】
２は前記のような被包装物１を筒状に包装する一軸延伸の熱収縮性フィルムであり、該熱収縮性フィルム２は延伸方向（図に「ｘ」軸線で表示）を筒状の無端方向としている。３は該熱収縮性フィルムに延伸方向から引き上げできるように切込線３１により設けた舌片状の摘み部であり、該摘み部３の基端両側後方に斜め外向に連続させたミシン目線４、４を該ミシン目線４より非延伸方向（図に「ｙ」軸線で表示）に対して傾斜させた短い切込４１を図３に示すように後方に位置する切込４１の内端４１ａが前方に位置する切込４１の外端４１ｂの内側に１軸方向で重なるように平行に無数配設して形成して筒状の両端に達するように形成されている。なお、このミシン目線４、４は図４に示すように非延伸方向に対して平行させた短い切込４１を平行に無数配設して形成したものとしてもよい。
【００１１】
このように構成されたものは、被包装物１を筒状に包装する熱収縮性フィルム２が筒状の無端方向のみ一軸延伸するものとして、延伸方向から引き上げできる摘み部３を切込線３１により設けたものであるから、該摘み部３を手指で引き上げれば、この摘み部３の基端両側後方に斜め外向きのミシン目線４、４が該ミシン目線４より非延伸方向に対して外側に傾斜させた短い切込４１を図３に示すように後方に位置する切込４１の内端４１ａが前方に位置する切込４１の外端４１ｂの内側に延伸方向で重なるように平行に無数配設して形成して筒状の両端に達するように形成されているので、摘み部３の基端側切込４１からその切込４１の後側の切込との間を熱収縮性フィルムが延伸方向に容易に裂ける性質により延伸方向に切り裂いて後側に続く切込４１と切込４１の間を連続して切り裂きミシン目線全体を切断して筒状の熱収縮性フィルム２を図２に示すように分断して容易に除去できるものである。
【００１２】
なお、前記したようにミシン目線４、４が該ミシン目線４より非延伸方向に対して外側に傾斜させた短い切込４１とされているので、摘み部３の引き上げ時の力は切込４１の外端４１ｂに直ちに達して、該外端４１ｂから延伸方向の裂け目が後側の切込４１の内端４ａの内側まで順次で続いて行くので、少ない力で開封できるものである。また、ミシン目線４、４が図４に示すように非延伸方向に対して平行させた短い切込４１を平行に無数配設して形成したものにあっては、摘み部３の引き上げ時の力が切込４１の外端４１ｂに直ちに達することはないが、摘み部３を手指で引き上げれば同様にミシン目線４１を切断して開封することができるものである。
【００１３】
また、該被包装物１が図１、図２に示すように本体１１と蓋体１２の開口周縁に鍔部１１ａ、１２ａを張設した鍔付きのトレイのように、該トレイの本体１１、蓋体１２と鍔部１１ａ、１２ａの間にＬ字状の凹部が形成されるように凹部を備えたものであれば、凹部と熱収縮性フィルム２との間隙ｓに臨むように摘み部３を位置させるものとすれば、摘み部３を形成する切込線３１がミシン目線としておけば、手指により摘み部３を間隙側に押し込めばミシン目線が破断して摘み部３が摘めることとなる。また、通常は摘み部３がミシン目線により繋がれているので、この包装材により包装されている商品を取り扱う際に摘み部３が他物に触れて引っ張られて開封する虞がないものである。
【００１４】
なお、被包装物１が図６に示すように摘み部３を押し込む間隙ｓが形成されない偏平な箱型ケースである場合には、摘み部３をミシン目線でなく直ちに摘むことのできるように連続した切込線３１により形成させている。この場合、熱収縮性フィルム２が包装する前の状態にあっては、図７に示すように摘み部３を形成する切込線３１のコーナ部の一部を点状に残して連結しておけば、被包装物１を包装材に収納した際に摘み部３が垂れ下がり被包装物１と熱収縮性フィルム２との間に挟み込まれるとう不都合がないうえ、点状に残して連結した個所は非包装物１を収納後に熱収縮性フィルム２を熱収縮させれば、その収縮により破断して摘み部３が手指で摘める状態となる。また、摘み部３を形成する切込線３１をミシン目線としても、摘み部３を手指で擦ることによりミシン目線が破断することができるので、切込線３１をミシン目線としても特に不都合のないことは勿論である。
【００１５】
〔第２の実施形態〕
図８〜図１１は第２の実施形態を示すもので、請求項２に記載の発明及び該請求項２に記載の発明を引用した請求項３に対応するものである。
１は被包装物であり、該被包装物１は図８、図９に示すものは前記第１の実施形態の図１、図２に示すものと同じく主に弁当類、惣菜類等の食品を収納した本体１１と蓋体１２の開口周縁に鍔部１１ａ、１２ａを張設した鍔付きのトレイである。また、図１１に示すもの被包装物１はビデオテープ、カセットテープ等を収納した箱型ケースである。２はこのような被包装物１の全表面を覆って包装する偏延伸の二軸延伸の熱収縮性フィルムである。
【００１６】
３は該熱収縮性フィルム２に延伸率の大きい延伸方向（図に「ｘ」軸線で表示）から引き上げできるように切込線３１により設けた舌片状の摘み部であり、該摘み部３の基端両側後方に斜め外向に連続させたミシン目線４、４を該ミシン目線４より延伸率の小さい延伸方向（図に「ｙ」軸線で表示）に対して傾斜させた短い切込４１を前記第１の実施形態の図３に示すと同様に後方に位置する切込４１の内端４１ａが前方に位置する切込４１の外端４１ｂの内側に延伸率の大きい延伸方向で重なるように平行に無数配設して該２本のミシン目線４、４の対向間に扇状部を形成するようにしてある。なお、このミシン目線４、４は前記第１の実施形態の図４に示すと同様に延伸率の小さい延伸方向に対して平行させた短い切込４１を平行に無数配設して形成したものとしてもよい。
【００１７】
なお、前記熱収縮性フィルム２は被包装物１を包装しない状態では、図１０に示すように、延伸率が大きい延伸方向を無端とした筒状に形成しており、被包装物１を収納した後に両端開口部２１、２１を熱溶着して、続いて、熱収縮性フィルム２を熱収縮させて被包装物１の全面をその形状に添って包装を行うものである。
【００１８】
このように構成したものは、被包装物１を全面的に包装する偏延伸の二軸延伸の熱収縮性フィルム２に、延伸率の大きな延伸方向から引き上げできる摘み部３を切込線３１により設けたものであるから、該摘み部３１を手指で引き上げれば、この摘み部３の基端両側後方に斜め外向きの２本のミシン目線４、４が該ミシン目線４より延伸率の小さい延伸方向に対して傾斜させた短い切込４１を後方に位置する切込４１の内端４１ａが前方に位置する切込４１の外端４１ｂの内側に延伸率の大きい延伸方向で重なるように平行に無数配設しているので、各切込４１は摘み部３の基端側からその切込４１の後側の切込４１との間を熱収縮性フィルム２の裂けやすい延伸率の大きな延伸方向に切り裂いて後側に続く切込４１と切込４１の間を連続して切り裂きミシン目線全体４を切断するので、図９に示すように熱収縮性フィルム２の中央部が扇状に大きく剥離されて被包装物１に係合されている部分が少なく包装材全体を容易に除去できることとなる。
【００１９】
なお、前記したようにミシン目線４、４が該ミシン目線４上より延伸率の小さい延伸方向に対して傾斜させた短い切込４１を平行に無数配設されているので、摘み部３の引き上げ時の力は各切込４１の外端４１ｂに直ちに達して、該外端４１ｂから延伸率の大きな延伸方向の裂け目が後側の切込４１の内端４１ａの内側まで順次連続して行くので、少ない力で開封できるものである。また、ミシン目線４、４が延伸率の小さい延伸方向に対して平行させた短い切込４１を平行に無数配設して形成したものにあっては、摘み部３の引き上げ時の力が切込４１の外端４１ｂに直ちに達することはないが、摘み部３を手指で引き上げれば同様にミシン目線４１を切断して開封することができるものである。
【００２０】
また、該被包装物１が図８、図９に示すように本体１１と蓋体１２の開口周縁に鍔部１１ａ、１２ａを張設した鍔付きのトレイのように、該トレイの本体１１、蓋体１２と鍔部１１ａ、１２ａの間にＬ字状の凹部が形成されるように凹部を備えたものであれば、凹部と熱収縮性フィルム２との間隙ｓに臨むように摘み部３を位置させるものとすれば、摘み部３を形成する切込線３１がミシン目線としておけば、手指により摘み部３を間隙側に押し込めばミシン目線が破断して摘み部３が摘めることとなる。また、通常は摘み部３がミシン目線により繋がれているので、この包装材により包装されている商品を取り扱う際に摘み部３が他物に触れて引っ張られて開封する虞がないものである。
【００２１】
なお、被包装物１が前記したように摘み部３を押し込む間隙ｓが形成されていない図１１に示すような箱型ケースである場合には、摘み部３をミシン目線でなく直ちに摘むことのできるように連続した切込線３１により形成させているものは、前記第１の実施形態の図７、図８に示すものと同様であるからその説明を省略する。
【図面の簡単な説明】
【００２２】
【図１】第１の実施形態を示す一部切欠斜視図である。
【図２】第１の実施形態の開封過程を示す斜視図である。
【図３】第１の実施形態の要部を示す平面図である。
【図４】第１の実施形態の他の要部を示す平面図である。
【図５】第１の実施形態において包装前を示す斜視図である。
【図６】第１の実施形態の他例を示す斜視図である。
【図７】第１の実施形態の他例の要部を示す平面図である。
【図８】第２の実施形態を示す一部切欠斜視図である。
【図９】第２の実施形態の開封過程を示す斜視図である。
【図１０】第２の実施形態の要部を示す平面図である。
【図１１】第２の実施形態の他例を示す斜視図である。
【図１２】従来の代表例を示す斜視図である。
【符号の説明】
【００２３】
１  被包装物
２  熱収縮性フィルム
３  摘み部
31  切込線
４  ミシン目線
41  切込
【図１】
2005231679.tif 000003
【図２】
2005231679.tif 000004
【図３】
2005231679.tif 000005
【図４】
2005231679.tif 000006
【図５】
2005231679.tif 000007
【図６】
2005231679.tif 000008
【図７】
2005231679.tif 000009
【図８】
2005231679.tif 000010
【図９】
2005231679.tif 000011
【図１０】
2005231679.tif 000012
【図１１】
2005231679.tif 000013
【図１２】
2005231679.tif 000014